Podtech/llm-jp-corpus-v4-ja_patent huggingface dataset:
(57)【要約】【課題】商用電源と発電機電源を電圧波形の位相を合わせ、電源切替器により瞬時の停電で電源を切替えるシステムにおいて、切替時に発生するアークにより両電源が短絡状態になることを防ぐ。【解決手段】先に給電している電源の周波数を切替後給電する電源の周波数より低くなるよう、発電機の出力周波数を制御することにより、短絡状態となった時、電源切替時に発生するアークと逆方向となる電流が流れようとするため、アークは瞬時に消弧され、短絡状態となることを防ぐことができる。【選択図】図１
2013055743.tif 000002
【特許請求の範囲】
【請求項１】
２種の電源の電圧波形の位相を合わせて電源切替を行う電源切替システムにおいて、先に給電している電源の周波数を切替後給電する電源の周波数よりも低く制御することで、電源切替時に発生するアークを消弧することを特徴とする電源切替システム。
【発明の詳細な説明】
【技術分野】
【０００１】
本発明は、商用電源と発電機電源を電源切替器により瞬時に切換えるシステムにおいて、発生するアークにより両電源が短絡状態になることを防止することに関する。
【背景技術】
【０００２】
従来、電源切替器は、電源切替に数１０ｍｓｅｃの時間を要し、この間負荷への給電が出来ない停電が生じていたため、無停電電源装置が無ければ負荷の連続運転が出来ない問題があった。近年、電源切替器が高速化し、１０ｍｓｅｃ以下での電源切替が可能となったため、発電機の周波数を制御し両電源の電圧波形の位相が等しい点（以降同期点と呼ぶ）にて電源切替を行うことで、無停電電源装置を用いずに負荷の運転継続が可能となってきた。
【０００３】
一方、高速で電源を切り替えるため、電源切替時に発生するアークが問題となっている。アークの消弧方法については、消弧用高圧空気を用いる方法や電源切替器の接触子の形状改善などが従来技術として知られている。
【０００４】
しかしながら、アーク消弧の従来技術は複雑な装置を備えた、特殊な電源切替器を用いなければならない問題があった。
【先行技術文献】
【特許文献】
【０００５】
【特許文献１】特開平７−１６１２６５号公報
【発明の概要】
【発明が解決しようとする課題】
【０００６】
本発明は、上記を考慮して、電源切替時に発生するアークにより両電源が短絡状態になることを防ぐことを目的とする。
【課題を解決するための手段】
【０００７】
請求項１の発明によれば、２種の電源の電圧波形の位相を合わせて電源切替を行う電源切替システムにおいて、先に給電している電源の周波数を切替後給電する電源の周波数よりも低く制御することで、電源切替時に発生するアークを消弧することを特徴とする電源切替システム。
【０００８】
上記の課題を解決するために、本発明は、発電機電源の周波数を制御して両電源を同期点で切替る時に、先に給電している電源の周波数を切替後に給電する電源の周波数より低く制御することで、電源切替時に発生するアークを消弧させるものである。
【発明の効果】
【０００９】
本発明は、特殊な電源切替器を用いることなく電源切替時に発生するアークを消弧することが出来る。
【図面の簡単な説明】
【００１０】
【図１】本発明の実施方法を示した説明図である。（実施例１）
【発明を実施するための形態】
【００１１】
本発明において、電源切替器で発生するアークの消弧を、先に給電している電源の周波数を切替後給電する電源の周波数より、低く制御することで実現した。
【００１２】
電源より負荷へ電流を流している相において、電源切替時発生するアークは、電源より負荷に向かって発生する。
【００１３】
２種の電源が同期点で短絡状態となった場合、周波数の高い電源より低い電源へ有効電力が流れようとするが、先に給電している電源の周波数を低く制御していれば、上述の相において、この有効電力の授受によって生じる電流の方向は、切替後給電する電源より先に給電している電源へ流れることとなる。
【００１４】
この電流の方向は切替時発生するアークの方向と逆向きとなるため、２種の電源間で有効電力の授受が行われることなくアークは消弧され、短絡状態が開放される。
【００１５】
負荷より電源へ電流を流している相についても、２種の電源間で有効電力の授受により流れる電流と、電源切替時発生するアークの方向が逆向きとなるため、アークは消弧される。
【実施例１】
【００１６】
図１は、本発明装置の１実施例の説明図である。商用電源１と発電機電源２が電源切替器３の両端に接続され、いずれか一方の電源が負荷９へ給電される単相交流回路において、電源切替時、商用電源１と発電機電源２に電源切替器３と並列に接続した自動同期投入装置８で、発電機電源２の周波数を制御することで、両電源の電圧波形の位相を合わせる。なお、自動同期投入装置の制御方法については周知されているため説明は省略する。
【００１７】
発電機電源２より商用電源１へ電源切替を行う場合、商用電源１の周波数より発電機電源２の周波数が低くなるよう制御する。
【００１８】
電源切替器３の発電機側接触子５が開放し始めると、切替時に電源より負荷へ電流が流れている相６では発電機電源２より負荷９の方向へアークが発生する。その後、電源切替器３の商用側接触子４が接続状態になると商用電源１と発電機電源２がアークを介し短絡状態となるが、周波数の高い商用電源１より周波数の低い発電機電源２へアークと逆方向の電流が流れようとするため、アークは瞬時に消弧し短絡状態になることは無い。
【００１９】
切替時に負荷より電源へ電流が流れている相７では、負荷９より発電機電源２の方向へアークが発生すが、アークにより２種の電源が短絡状態になると、発電機電源２より負荷９へアークと逆方向に電流が流れようとするため、アークは消弧される。
【００２０】
商用電源１より発電機電源２へ電源を切り替える場合は、発電機電源２より商用電源１の周波数を低くなるよう制御すれば、上述と同様にアークは消弧し短絡状態にならない。
【産業上の利用可能性】
【００２１】
本発明は、商用電源と発電機電源を同期点で短時間に切替えるシステムにおいて利用することが出来、安価なシステムを提供することが出来る。また、３相電源切替においても単相電源と同様にアークを消弧することが出来る。
【符号の説明】
【００２２】
１    商用電源
２    発電機電源
３    電源切替器
４    商用側接触子
５    発電機側接触子
６    切替時に電源より負荷へ電流が流れている相
７    切替時に負荷より電源へ電流が流れている相
８    自動同期検出器
９    負荷
【図１】
2013055743.tif 000003
(57)【要約】【課題】英語の聞き流しや外国人との会話だけでは、自然と母国語の音を使って理解してしまうので、外国語特有の音を言語として理解し使う様に練習することが十分になされない。その為、これらの音を、言語として意識できる教具を提供する。【解決手段】（１） 目的の言語と母国語によく使われる周波数を読み込む。（２） 母国語に多い周波数の音量を抑制的に、外国語に多い周波数の音量を上げて、オーディオ機器として再生するようにする。（３）この状態で様々な音を聞き流し音に慣れる。 (4)自分の声を録音、再生することで、自分自身で、その言語圏の音を効率的に発声しているか確認できる。（5）電話などの利用により、実際に、母国語に無い音でのコミュニケーションをする経験を得ることが出来る。（６）周波数を選ぶことで、あらゆる言語に対応できる。（７）周波数を限定することで、同一言語内の似た発音をも区別する練習にもつながる。【選択図】なし【特許請求の範囲】
【請求項１】
あらゆる言語にあわせた周波数を強調、抑制する音声再生を特徴とする語学学習システム。
【請求項２】
母国語にない音を、母国語のなかで理解することで、外国語の音域理解が自然に増していくという学習システム。
【請求項３】
自身の声を変換し、英語の音のみが強調された状態で、自分自身で日本語にない音を発声するためにフィードバックとなりうる学習システム。
【発明の詳細な説明】
【技術分野】
【０００１】
本発明は、外国語学習システムに関するものである。
【背景技術】
【０００２】
普段の生活に必要でない音は意識されにくく、その為、やみくもに英語を聞き流しているだけでは、日本語にはない英語特有の音が聞こえるようにならない。例え音として認識できたとしても、その音を言語として理解し使う様にトレーニングされなければ学習効果は期待できない。
【先行技術文献】
【特許文献】
【０００３】
【特許文献１】特開2000-315042
【発明の概要】
【発明が解決しようとする課題】
【０００４】
外国語をマスターする障壁にの１つは、外国語には母国語に無い音が数多く存在するためであるが、その音を、言語として認識するための方法論は、ただ聞き流すだけや闇雲に経験数を重ねることに頼るしかなかった。その中の母国語にある音に集中する方が楽であるため、母国語にない音は、結局は無視するトレーニングを積んでしまう結果となる。また英語特有の周波数を聴かせる教材はあるものの、その音を言語として理解するトレーニングをするのではなく、英語に活用する方法はやはり個人の体験に任せるしか無かった。このように、従来方式では、その音が言語の中で有用である事に気がつく方法が偶然に支えられており、効果的な学習法法が今まで提示されていなかった。これらの音を、言語として意識的にトレーニング・フィードバックをかけることが出来る教具を提供する
【課題を解決するための手段】
【０００５】
（１） 目的の言語と母国語によく使われる周波数を読み込む（初期設定あり）。（２） 母国語に多い周波数のものの音量を抑制的に、外国語に多い周波数の音量を上げて、オーディオ機器として再生するようにする。（3）外国語の音のみが強調された状態で聞き流すことにより、その言語圏の音を認識しやすくする。対象言語で行えば、どのような音に気をつけなければならないかが明瞭となる。さらに、これはその言語で無くても良い点が本製品の特徴ともなる。母国語や音楽などを通して、必要な周波数の音を理解することが可能となる。(4)マイクを通して自分の声を録音し、イヤホンで聴くことにより、その言語圏に多い音をより効率的に発声しているかどうかを、自身で確かめることが可能になる。うまく発音できていなければ、音は小さくなり、うまく発音できていれば、音は強調されて聞こえるようになるからである。（5）電話のようなリアルタイムの状態で本システムを使うことにより、実際に、母国語に無い音でのコミュニケーションのやりとりをする経験を得ることが出来る。これにより効率的に外国語の音から理解する経験を積むことが可能となる。これにより、いままで母国語にある音のみで理解しようとする癖を矯正することが出来る。（６）周波数を選ぶことで、あらゆる言語に対応できる。また、英語とフランス語など別の言語に使用することにより、第2外国語を学ぶときの外国語間の違いをも意識できるようになる。（７）音をもっと限定的に、例えば「L」と「R」の違いなどに限定することにより、さらに幅広い学習形態も可能となる。
【発明の効果】
【０００６】
周りから入る音や自分の音声が、母国語にしかないものは減弱され、目的の外国語にあるものが強調される環境下に置かれることにより、普段では理解のために利用しなかった周波数の音を積極的に使用する環境となる。これを通して、母国語に無い音を言語として理解することによりリスニング力が向上する。また、ヘッドホンを通じて自分の声を聴けば、自分の音声が正しい周波数で無ければよく聞こえない環境となるため、必要な周波数の音が自然に理解出来るようになり、発音の改善も期待できる。
【発明を実施するための形態】
【０００７】
本製品は、パソコンとして自分用の独学用にもしようし、携帯アプリとして電話などの機能の中で使用することも可能である。
【実施例】
【０００８】
単元としては、大きくは次の三つとなる。（１）音を変換したオーディオ媒体のデータを聴き、音の違いを理解する受動的なもの。（２）自ら声を吹き込み、自身で音を確かめ練習する能動的なもの。（３）電話音域変換を通して音声の変換を通して日常生活で目的の音域を言語領域として理解するもの。  また、抑制の度合いに対しても、互いの言語に共通部分をどの程度抑制するかにより、抑制なしであればより自然な会話の中で発見する方法を探す、完全抑制であれば、意味というよりその音を自分で聞けて、自分で発せられるかの練習となり得る。この練習は、例えば「L」と「R」の違いなどの、単元別としても活用できる。
【産業上の利用可能性】
【０００９】
同様の流れは、英語ー日本語に限らず、ドイツ語ー日本語など多言語や、イギリス英語ーアメリカ英語の差を強調するにも有用であり、幅広い多言語学習に応用できる。
(57)【要約】【課題】本発明は人文字で動画を表示する方法に関する。【解決手段】動画データと位置データを記録した表示装置を並べて、位置データに応じた動画データを任意のタイミングで再生することにより動画再生を可能とする。【選択図】図１
2013097086.tif 000002
【特許請求の範囲】
【請求項１】
動画データと位置データを記録した表示装置を並べて、位置データに応じた動画データを再生させる方法。
【発明の詳細な説明】
【技術分野】
【０００１】
本発明はイベントなどを盛り上げる為の人文字と呼ばれる演出方法に関する。
【背景技術】
【０００２】
イベント、コンサートで行われる演出方法に人文字と呼ばれる方法がある。
【０００３】
これは観客が色の付いた帽子やプレート等を持って客席に文字や絵を表示するものである。
【０００４】
観客が帽子やプレートなどを持ち替える事により表示の切り替えが可能である。
【０００５】
しかし、動画を表示させようとした場合、素早く切り替えることが困難であり、限られた色数しか持てないことや、次々とプレートなど取り替えていかなければならないので、長時間の動画ではプレート等の数が膨大になってしまう問題がある。
【０００６】
先行特許文献１にあるように無線で携帯している表示装置を切り替える方法については知られているが、本発明のように動画を表示させる場合には対象人数が多くなると動画の切替速度が遅くなってしまう。
【先行技術文献】
【特許文献】
【０００７】
【特許文献１】特開２００７−１１５４１２号公報
【発明の概要】
【発明が解決しようとする課題】
【０００８】
本発明の課題は人文字で動画を容易に行う方法を提供することにある。
【課題を解決するための手段】
【０００９】
本発明は上記課題を解決するために、表示装置に動画の表示パターンと座席等の位置情報を記憶して再生するものである。
【発明の効果】
【００１０】
本発明を利用することにより、人文字による動画を容易に行うことができる。
【図面の簡単な説明】
【００１１】
【図１】図１は人文字で動画を表示する方法の、実施方法を示した説明図である。
【図２】図２は図１の１を並べて人文字を表示した一形態である。
【発明を実施するための形態】
【００１２】
動画データと位置データを記録した図１の動画データを表示する装置を図２のように並べて、位置データに応じた動画データを再生することにより、人文字で動画を表示する。
【実施例】
【００１３】
表示装置にコンサートライト形態の物を使い、コンサート会場で客席をスクリーンのようにする演出が可能となる。
【符号の説明】
【００１４】
１  動画データを表示する装置
２  動画データ
３  位置データ
４  本発明の実施の一形態
【図１】
2013097086.tif 000003
【図２】
2013097086.tif 000004
(57)【要約】      （修正有）【課題】光ファイバーの端面からの出射光の直進光遮断、拡散させる加工方法において、半球形状の曲率半径まで加工調整ができ、出射光のばらつきが生じにくい加工方法を提供する。【解決手段】酸化チタンと白色練り歯磨き剤（市販品）を光ファイバー先端に塗布し、電極間放電（アーク放電）により、光ファイバー先端を熱で熔融し、表面張力の作用により半球形状のレンズを作る。電極の電流値、放電時間を変えることににより、球の曲率半径、出射光の拡散度を調整する。【選択図】図２
2013097366.tif 000002
【特許請求の範囲】
【請求項１】
酸化チタンと白色練り歯磨き剤（市販品）を混ぜ合わせたものを光ファイバー先端に塗布し、電極間放電（アーク放電）により、光ファイバー先端を反応させ、半球形状のレンズを作る。
球の曲率半径と熱源温度と加熱時間は、相関関係にあるので、球の曲率半径は、電極の電流値、放電時間を変えることにより、調整できる。出射光の拡散度を調整できる。
電極間放電（アーク放電）による加工であれば、光ファイバーを大量の本数、加工する場合でも、出射光の拡散度のばらつきは生じにくい。
放電の距離、角度、時間を固定すれば、光ファイバーの先端を加熱するエネルギーは、レーザー光を使用する場合より安定する。よって混合物の反応度、半球レンズの曲率半径も固定される。電流値は精巧に調整できるものなので、曲率半径も精巧に調整できる。
【発明の詳細な説明】
【技術分野】
【０００１】  本発明は、レーザー光を導く光ファイバーの出射光の直進光を遮り、出射光の拡散度が調整できる加工方法に関するものである。
【背景技術】
【０００２】  医療の分野では、生体組織の目標部位にレーザー光を照射させて、組織を蒸散させ治療することが行われている。本先端加工方法で光ファイバーの先端を加工すると、レーザー装置から導光されたレーザー光の直進光は遮られ、側方からの拡散光を得ることができる。
この拡散光で目標部位の組織のみを蒸散させることができ、直進光による目標部位以外の組織に損傷を与えることはない。
【発明の概要】
【発明が解決しようとする課題】
【０００３】  光ファイバーの端面からの出射光の直進光遮断、拡散させる加工方法は、従来は、光ファイバーをレーザー装置に接続して、そのレーザー装置から導光されたレーザー光を使用していた。しかし、光ファイバーを大量の本数、加工する場合は、出射光の拡散度にばらつきが生じていた。これはレーザー出力は、電気に比べ変動し安定しないものだからである。また加工に使用するレーザー光は、先端加工するファイバーそのものから導光されているので、加工部であるファイバー端面の半球形状の曲率半径までは、加工調整できない。
本発明のアーク放電による加工であれば、半球形状の曲率半径まで加工調整ができ、出射光のばらつきは生じにくい。
【課題を解決するための手段】
【０００４】  酸化チタンと白色練り歯磨き剤（市販品）を混ぜ合わせたものを光ファイバー先端に塗布し、電極間放電（アーク放電）により、光ファイバー先端を反応させ、半球形状のレンズを作る。
球形状のレンズが形成される原理は、電極間放電（アーク放電）による熱で熔融し、表面張力の作用により、半球形状のレンズができ上がる。
球の曲率半径と熱源温度と加熱時間は、相関関係にあるので、球の曲率半径は、電極の電流値、放電時間を変えることにより、調整できる。出射光の拡散度を調整できる。
電極間放電（アーク放電）による加工であれば、光ファイバーを大量の本数、加工する場合でも、出射光の拡散度のばらつきは生じにくい。
その理由は、電流値はレーザー光出力に比べ安定するものであるからである。
放電の距離、角度、時間を固定すれば、光ファイバーの先端を加熱するエネルギーは、レーザー光を使用する場合より安定する。よって混合物の反応度、半球レンズの曲率半径も固定される。電流値は精巧に調整できるものなので、曲率半径も精巧に調整できる。
【発明の効果】
【０００５】  大量の本数の光ファイバーについて、出射光拡散度にばらつきを無くすことができる。
出射光拡散度を知った上で、使用できる。
【図面の簡単な説明】
【０００６】
【図１】混合物の塗布箇所
【図２】加工方法及び加工後完成例
【図３】加工後の形状例（ａ）〜（ｄ）
【発明を実施するための形態】
【０００７】  以下、本発明の実施の形態を図１〜図３に基づいて説明する。
【０００８】  光ファイバー先端側面のクラッドを除去し、「酸化チタンと白色練り歯磨き剤」の混合物を光ファイバー先端面に塗布する。
混合物の分量比は、「酸化チタン」：「白色練り歯磨き剤」＝６：４
【０００９】  光ファイバー先端を交流電源の電極間放電（アーク放電）により、ファイバー先端を混合物で反応させ、熔融させ、自然冷却させる。
【００１０】  球形状のレンズが形成される原理は、電極間放電（アーク放電）による熱で熔融し、表面張力の作用により、半球形状のレンズができ上がる。
球の曲率半径と熱源温度と加熱時間は、相関関係にあるので、球の曲率半径は、電極の電流値、放電時間を変えることにより、調整できる。（出射光の拡散度を調整できる）
【図１】
2013097366.tif 000003
【図２】
2013097366.tif 000004
【図３】
2013097366.tif 000005
(57)【要約】      （修正有）【課題】物を袋に入れ封じるときの手間が掛かからない樣にし、内容物が多い場合でも口が開くことのない保存性の良い袋を提供する。【解決手段】袋類の外部面の底面の位置に弾力性と伸縮性を持つ必要な幅と大きさを持った輪帯状を付ける、袋の表シートと裏シートの内部の上部面に必要な幅のレールを横に付けて上下レール内に波状の凹凸型を分けて付ける、袋の裏シートの表面に凸状を付ける、表シートの長さは裏面が凸状に触れる長さにする。これを使用することにより楽に開閉が出来内容物が少量になったら小さく巻き輪帯に通し固定が出来整頓も出来る。【選択図】図１
2013166585.tif 000002
【特許請求の範囲】
【請求項１】
袋物等の底面外部に必要な位置に弾力性のある必要な大きさと幅のある輪状の帯を付ける。袋物の内部、両内面の上部の必要位置に必要な幅のレールを付け其の中に上下に異なる波状の凹凸面を付け開閉をする。其の所の位置より上の裏シート表面に必要な位置に突起状を横に網羅して付ける、表シートの裏面が突起物に触れる長さにする両サイトには切り目が入れてある。
【発明の詳細な説明】
【技術分野】
【０００１】本発明は袋の内容物の散乱と袋の中の空気を抜き長期保存が出来ないのをするようにした。
又整頓と保存場所が綺麗にする
【背景技術】
【０００２】従来使用されている袋物は上面より少し下に本体の内面に上下に雄と雌に其れ分かれた２本の横につけた溝を持ち其れを雄とメスを合わせて蜜封し内容物を保存と整頓を作っているが初回に開封する時から開け口がなかなかスムーズに握れずに開けるのに力を必要とした、密封する時には上下の雄と雌をレールに合わすのになかなか非と苦労することが往々にしてある．内容物が減小し空洞が大きくなると袋物自体をくるくると巻いては弾力性の有るもで束ねていたので非常に手が掛かっている。
【発明の開示】
【発明が解決しようとする課題】
【０００３】そのために、次のような問題点があった
袋物の内容物が外に流れ出ないように内面上部の位置に２本の横レールが付いて内容物が外部に流れるのを止めているが次回から開閉をするのにレールを合すのに手間が架かり合わせにくいのと開閉口を広げるのにもスムーズに開けられない
本発明は以上の問題点を解決しようとするものである
【課題を解決するための手段】
【０００４】袋物の外部底面の必要な位置に弾力性の有る輪状帯び体をつける、
袋物の内面の上部の必要な位置に必要な幅を持ち横に延びたレール引き表シートの裏面と裏シートの表面に波状の凹凸に分けてつけている袋物の裏シートの上面表の位置にある太さの幅をもつ凸状の突起物を横一列に付ける。表シートの裏面が突起物に触れる位置まで長くする。
【発明の効果】
【０００５】本発明は、袋物の内容物を湿気散乱破損しないように隙間の空間を無くした物である。袋類を小さく巻き輪帯を使用する従って内容物が湿気散乱破損することが無く開閉がしやすい整頓も出来る
【発明の実施をするための最良の形態】
【０００６】以下、本発明の実施の形態の説明をする
袋物その他で其の中に物を入れることが出来る袋類の外部の底辺の必要な位置に弾力性と伸縮性を持ち必要な大きさと太さの輪状の帯びをつける、袋の底面に伸縮が出来る平面を設ける、袋物類の表シート裏面と裏シートの表面の上部面に幅を持つレールを付け其の中に波状にした凹凸を上下に分けて付ける、袋類の裏シートの表面上部の位置内部に凸状の突起物を付け、表シートの裏面が凸状の突起物に触れる位置の高さにする。
【図面の簡単な説明】
【０００７】
【図１】本発明の斜視図
【符号の説明】
【０００８】１  袋類の底裏面に弾力性と伸縮性と幅を持つ輪帯
２  表シートの裏面と裏シートの表面上面にレールを引きその中に波状の凹凸状突起物、
３  幅を持つ横に延びているレール
４  裏シートの表面に凸状の突起物を網羅している
５  表面シート
６  割れ目
【図１】
2013166585.tif 000003
(57)【要約】      （修正有）【課題】冬期に屋外駐車した車両の車上やフロントガラスに積もった雪を簡単に排除出来るシートを提供する。【解決手段】軟質シート１に複数の吸盤２を設け、車上やフロントガラス等、積雪を防ぐ部分に吸着固定し、積雪をシート１とともに簡単に剥離排除出来る様にした。【選択図】図１
2013166537.tif 000002
【特許請求の範囲】
【請求項１】
軟質シートに複数の吸盤を設け、防雪する面に置き吸着し固定する。
【請求項２】
吸盤の間をリブでつなぎ、シートを外す時リブで吸盤を引っ張り変形させ空気を取り込み離脱を容易にする。
【請求項３】
シートの回りにひれを設け、冷気  水の進入を防ぐ。
【請求項４】
シートの端に容易に剥離出来るように、取っ手を設ける。
【発明の詳細な説明】
【技術分野】
【０００１】  本発明は、塩化ビニルやシリコーン樹脂等の軟質シートに吸盤を設け降雪時にロントガラスや車体に貼り、積もった雪を簡単に排除するもの。
【背景技術】
【０００２】  従来は、積雪から車体を保護するシートはあったが、積雪の排除を目的とした物はなかった。
【発明の概要】
【発明が解決しようとする課題】
【０００３】冬期に屋外駐車し降雪にあった時、特に早朝出勤等にフロントやドアー周りに積もった雪を排除するのは大変である。
本発明は、簡単に積雪の排除ができるようにしたものである。
【課題を解決するための手段】
【０００４】塩化ビニルシート、シリコン樹脂シート等の軟質シート１に複数の吸盤２を設け、吸盤間をリブ３で繋ぐ。
シートの回りに防水ひれ４を設け、一片に取っ手５を設ける。
【発明の効果】
【０００５】シートに設けた吸盤により、防雪しようとするボディーやガラス面に簡単に吸着固定ができる。
シートを外すときは、取っ手を引き上げる時引っ張られたリブが吸盤に隙間を作り空気が進入、容易に剥離する事ができる。
回りのひれにより、冷気、水の進入を防ぎ、又、空気の層が出来る事により、」冷気を遮断し、凍結を緩和できる。
【図面の簡単な説明】
【０００６】
【図１】  本発明、積雪排除シート平面図である。
【図２】  本発明、シート断面拡大図である。
【図３】  本発明、シートの剥離時状態図である。
【発明を実施するための形態】
【０００７】以下、本発明の形態について説明する。
（イ）  塩化ビニルシート、シリコン樹脂シート等の軟質シート１に複数の吸盤２をもうける。
（ロ）  吸盤２の間をリブ３で繋ぐ。
（ハ）  シートの回りに空気  水の進入を防ぐようひれ４を設ける。
（ニ）  シートの端に  シート剥離用取っ手５を設ける。
【符号の説明】
【０００８】１  塩化ビニル  シリコン樹脂等軟質シート
２  吸盤
３  吸盤連結リブ
４  防水ひれ。
５  取っ手
【図１】
2013166537.tif 000003
【図２】
2013166537.tif 000004
【図３】
2013166537.tif 000005
(57)【要約】      （修正有）【課題】羊羹のような食品を容器からスムーズに皿に取り出せる構造と流通する際に、より衛生面と安全面を考慮した画期的な包装容器、さらに、使用後の容器の再利用が可能な容器を提供する。【解決手段】収納部本体１に、当初、下のシール２ｂに熱を加えて下本体を塞ぎ、次に羊羹の液体を流し込んだ後に、上のシール２ａに熱を加えて上本体を塞ぎ、さらに上下に蓋をする。一方、取り出す時にはまず、上下の蓋を外し、続いて、皿上で下のシール２ｂを剥がし、次に上のシール２aを剥がせば羊羹は意図も簡単に容器から滑り落ち、皿の上に取り出すことができる。【選択図】図１
2013166568.tif 000002
【特許請求の範囲】
【請求項１】
多角形状や筒形状の収納部本体と、前記収納部の対向する上下２つの面の全面をそれぞれ密閉する上下各１枚のシールとを備えることを特徴とする上下両面シール付容器。
【請求項２】
多角形状や筒形状の収納部本体と、前記収納部の対向する上下２つの面の全面をそれぞれ密閉する上下各１枚のシールと被せた蓋とを備えることを特徴とする上下両面シール付容器および上下被せ蓋付容器。
【発明の詳細な説明】
【技術分野】
【０００１】
本発明は容器の中に入っている羊羹のような固形物をスムーズに取り出すことのできる容器とその中の固形物を流通する際に、より衛生面と安全面を考慮した容器を提供する。また、その中の固形物を消費した後はその容器は様々な用途に再利用できる機能性を持ち合わせた容器であり、one way容器ではない。
【背景技術】
【０００２】
化学工業の発展に伴い、様々なプラスチック素材やそれを用いた製品が開発され、食品業界でも、いろいろなプラスチック製品が用いられている。
【０００３】
食品などの容器として多用されている物にポリエチレン、ポリプロピレン、ポリスチレンなどの材料の容器に上部シール、ポリアミド（ナイロン）やアルミなどで本体を塞いで使用している。
【０００４】
このような容器の一般的な使用法の一つに、羊羹、ゼリー、プリンなどの食品を入れて一般に販売されている。
【０００５】
上記の使用方法における問題点として、羊羹などをそのよう容器から取り出す事は容易ではない。取り出して、食するよりその容器にスプーンで食するのが通常の方法である。
【０００６】
このような観点から、既存の容器を概観すると、例えば特許文献１のように、蓋の底部分に新規な構造を付与して使い勝手を向上したものが開示されているが、それを見てもピンや凹壁面を利用して商品を取り出す方法で、本願発明のようなよりシンプルで食品を食した後の容器の再利用は出来ない。つまり、one way容器である。
【先行技術文献】
【特許文献】
【０００７】
【特許文献１】特開２０００−０４１６０８号公報
【発明の概要】
【発明が解決しようとする課題】
【０００８】
本発明の課題は、羊羹などの固形物を上下の蓋のシールを剥がすだけで、簡単によりスムーズに取り出すことができ、また、上下の蓋をさらに前者に付ける事で流通する際に、より衛生面と安全面を考慮した容器を提供すると共に、蓋付容器の場合は羊羹などの固形物を食した後はその容器を再利用できる一挙両得の容器を提供する。（たとえば、食品の保存容器、先入れ先出し容器などとして再利用）
【課題を解決するための手段】
【０００９】
本発明は、羊羹などの固形物を取り出すために、それぞれ上下の出口を用いることにより、前記の課題を解決し得ることに着目して、検討した結果、なされたものである。
【００１０】
即ち、本発明は、多角形状や筒形状の収納部本体と、前記収納部の対向する上下２つの面の全面をそれぞれ密閉する上下各１枚のシールとを備えることを特徴とする上下両面シール付容器と多角形状や筒形状の収納部本体と、前記収納部の対向する上下２つの面の全面をそれぞれ密閉する上下各１枚のシールと被せた蓋とを備えることを特徴とする上下両面シール付容器および上下被せ蓋付容器。
【発明の効果】
【００１１】
本発明の容器は、従来容器にスプーンを利用して食するのが通常の方法であったが、スプーンを用いることなく、皿の上に羊羹などを意図も簡単に取り出すことができる容器であり、さらに、上下共に蓋を被せた蓋付容器を付ければ、食した後はその容器はいろいろな使途に利用できる一挙両得の容器を提供できる。また、流通する際に、より衛生面と安全面を考慮した容器をも提供できる。
【図面の簡単な説明】
【００１２】
図１が上下両面シール付容器の斜視図、図２が図１に上下蓋を被せた蓋付容器の斜視図
【図１】上下両面シール付容器の斜視図
【図２】図１に上下蓋を被せた蓋付容器の斜視図
【発明を実施するための形態】
【００１３】
次に本発明を実施するための形態について説明する。図１は本発明の実施の形態に係る上下シール付容器の一例を示す図１において、１は収納部本体、２ａは上のシール、２a′は上シールのべろ、２ｂは下のシール、２b′は下シールのべろである。図２において、１は収納部本体、３aは上蓋、３bは下蓋である。
【００１４】
収納部本体１、具体的には、内容物を視認できるので、透明なポリスチレンなどを用いることが望ましい。２ａは上のシール、２ｂは下のシールは、共にポリアミド（ナイロン）、アルミなどの材質を用いることができる。また、蓋はポリエチレンが多く使用されている。
【００１５】
このような構成にすると、収納部本体１に、当初、２ｂの下のシールに熱を加えて塞ぎ、次に羊羹の液体を流し込んだ後に、２ａの上のシールに熱を加えて塞ぐことにより商品が完全に密閉できる。さらに、上下に本体部と蓋の嵌合性の強い蓋、或いは螺子式の蓋、蓋３a及び３bをして流通での衛生面と安全面を考慮する。一方、取り出す時には、前者は、皿上で２b′の下シールのべろを引張って２ｂの下のシールを剥がし、次に２a′上シールのべろを引張って、２aの上のシールを剥がせば羊羹は意図も簡単に容器から滑り落ち皿の上に取り出すことができる。後者は最初に３bの下蓋を外し、次に３a上蓋を外してから、上記同様にすれば羊羹は意図も簡単に容器から滑り落ち皿の上に取り出すことができる。来客時には凄く体裁の良いおもてなしを可能にすることが出来、後者を採用すれば、食した後はその容器の再利用も楽しみが期待できる容器である。
【００１６】
以上、説明したように、本発明によれば、固形の食品などが上下シールを開放することによりスムーズに容器から取り出すことを可能する上下両面シール付容器、さらに上下共に蓋を被せた蓋を付ける事により流通する際に、より衛生面と安全面を考慮した容器をも提供することができる画期的な包装容器である。さらに、one way容器でないので、食品などを食した後は再利用できる容器なのでとても利便性に富んだ一挙両得の容器である。尚、その容器の本発明は、前記実施の形態には限定されるものではなく、本発明の分野における通常の知識を有する者であれば想到し得る、例えば、収納本体容器の断面形状を楕円や四角形にするなどの、各種変形、修正を含む要旨を逸脱しない範囲の設計変更があっても、本発明に含まれることは勿論である。
【符号の説明】
【００１７】
１    収納部本体
２ａ  上のシール
２a′ 上シールのべろ
２ｂ  下のシール
２b′ 下シールのべろ
３a   上蓋
３b   下蓋
【図１】
2013166568.tif 000003
【図２】
2013166568.tif 000004
(57)【要約】【課題】従来、軒下には、太陽の光が届かないため、太陽光モジュールを一戸建て建物の軒下や、ビルの軒下の壁面に取り付けることができなかった。【解決手段】長方形状の取付板状金具１１の内側に曲面反射パネル１１１を備え、取付板の上端に斜め下方向に上部反射パネル１２を取り付け、下端に斜め下方向に太陽光パネル１３を設け、太陽光パネル１２の外側端に突き出し反射パネル１４を回動可能に取り付けたことを特徴とする太陽光モジュール【選択図】  図１
2013033855.tif 000002
【特許請求の範囲】
【請求項１】
長方形状の取付板状金具１１の内側に曲面反射パネル１１１を備え、取付板の上端に斜め下方向に上部反射パネル１２を取り付け、下端に斜め下方向に太陽光パネル１３を設けたことを特徴とする反射板付き太陽光モジュール。
【請求項２】
太陽光パネル１２の外側端に突き出し反射パネル１４を回動可能に取り付けたことを特徴とする請求項１記載の反射板付き太陽光モジュール。
【請求項３】
太陽光パネル１２の両側面に側面反射パネル１３２を取り付けたことを特徴とする請求項１記載の反射板付き太陽光モジュール。
【発明の詳細な説明】
【技術分野】
【０００１】
本考案は、太陽光モジュールに反射パネルを取り付けた反射パネル付き太陽光モジュール。
【背景技術】
【０００２】
従来、一戸建て建物の屋根、ビルの屋上、ビルの壁面に太陽光モジュールを取り付ける。又、太陽光モジュールを、建物の壁面に設ける技術も知られている。(例えば、特許文献１参照)一戸建て建物の軒下、ビルの軒下の壁面に取り付ける太陽光モジュールはなかった。
【先行技術文献】
【特許文献】
【０００３】
【特許文献１】特開2011−058261公報
【発明の概要】
【発明が解決しようとする課題】
【０００４】
従来、軒下には、太陽の光が届かないため、太陽光モジュールを一戸建て建物の軒下や、ビルの軒下の壁面に取り付けることができなかった。
【課題を解決するための手段】
【０００５】
長方形状の取付板状金具の内側に曲面反射パネルを備え、取付板の上端に斜め下方向に上部反射パネルを取り付け、下端に斜め下方向に太陽光モジュールを設けたことを特徴とする反射板付き太陽光モジュール。
【０００６】
太陽光モジュールの外側端に突き出し反射パネル回動可能に取り付けたことを特徴とする反射板付き太陽光モジュール。
【０００７】
太陽光モジュールの両側面に反射パネルを取り付けたことを特徴とする反射板付き太陽光モジュール。
【発明の効果】
【０００８】
１）一戸建て建物の軒下、ビルの軒下の壁面に取り付けられる。
２）斜め下方向に太陽光モジュールを取り付ける事により壁面に垂直に太陽光モジュールを取り付けるよりも、点検、補修が簡単になり、反射パネル付き太陽光モジュールを、多く取り付ける事ができる。
３）反射パネル１４を可動式にする事により季節により高度が変わる太陽に対応する事ができる。
【図面の簡単な説明】
【０００９】
【図１】本発明の反射パネル付き太陽光モジュール(斜視図)
【図２】本発明の反射パネル付き太陽光モジュールの軒下への取り付け図(側面図)
【図３】本発明の反射パネル付き太陽光モジュールの軒下への多数段設置図(斜視図)
【発明を実施するための形態】
【００１０】
以下、本考案の実施の形態について説明する。  
図１は反射パネル付き太陽光モジュール１の構成を示す。
反射パネル付き太陽光モジュール１は、取付板状金具１１と、上部反射パネル１２と太陽光パネル１３と、突き出し反射パネル１４とからなる。
取付板状金具１１の内側には、曲面反射パネル１１１を備え、上端に，斜め下方向に上部反射パネル１２を取付け、上部反射パネル１２とほぼ平行に取付板状金具１１の下端に斜め下方向に太陽光モジュール１３１を取付け、太陽光パネル１３外側端に回動可能に突き出し反射パネル１４を取付ける。
上部反射パネル１２は長方形の金板の下面に鏡などの反射物を貼り付ける。
太陽光モジュール１３１は、長方形の金板の上面の真ん中付近に太陽電池を配置し、太陽電池に隣接して両側に側面反射物１３２を配置する。
突き出し反射パネル１４は、長方形の金板の上面に鏡などの反射物を貼り付ける。太陽光モジュール１３１と、突き出し反射パネル１４は、ボルト１５２とナット１５１で締め付けることで、接続し、角度を調整できるようにする。曲面反射パネル１１１は、ローラで曲げた平板や切断したパイプ１１１に鏡などの反射物を貼り付けたもので、平板をローラで曲げる方法やパイプを切断し、ボルトナットで取付板状金具１１に取り付けて構成する。
【００１１】
反射パネル付き太陽光モジュール１は以上のような構造で、突き出し反射パネル１４より太陽の光を取り入れ、曲面反射パネル１１１や上部反射パネル１２に反射させて太陽光モジュールに太陽光を導くことができる。
図１の側面反射パネル１３２を、太陽光モジュール１３１の両側に取り付ける事により側面からの太陽光を上部反射パネル１２に照射し上部反射パネル１２の反射により太陽光モジュール１３１に照射される。両側に側面反射パネル１３２を取り付ける事により太陽光モジュール１３１に影を作り難くする事ができる。
【００１２】
図２は、本発明の反射パネル付き太陽光モジュールの側面図である。
太陽光Ａは、突き出し反射パネル１４から曲面反射パネル１１１に光路Ａ１で曲面反射パネル１１１に導き、さらに光路Ａ２で太陽光モジュール１３１に光を導き、且つ、光路A３で上部反射パネル１２に光を導き、反射パネル１２で反射して、光路Ａ４で太陽光モジュール１３１に光を導く。
太陽光Ｂは、突き出し反射パネル１４から光路Ｂ１で反射パネル１２に、光路Ｂ２で曲面反射パネル１１１に光を導き、光路Ｂ３で太陽光モジュール１３１に導くことができる。
太陽光Ｃは、突き出し反射パネル１４から光路Ｃ１で直接に太陽光モジュール１３１に光を導く。このように、反射パネル付き太陽光モジュール1は建物の軒下でも太陽光を取り入れられる。
【００１３】
図３は、反射パネル付き太陽光モジュール1を上下に多段層に設置した図である。
建物の軒下に反射パネル付き太陽光モジュール1をひとつのユニットとして多断層に設置することができ、壁面に垂直に太陽光モジュールを設置するよりも、反射パネル付き太陽光モジュール1は多くの太陽光モジュールを設置することができる。
以上の構造で、建物の軒下にも太陽光モジュールが設置でき、上下に多数段設置できる。反射パネル付き太陽光モジュールは、熔接、ボルトナット、接着材で、容易に接合できる。
【００１４】
本考案の反射パネル付き太陽光モジュールは、建物のベランダに支柱を設ける事により、取り付ける事ができる。
【符号の説明】
【００１５】
１    反射パネル付き太陽光モジュール
１１    取付板状金物
１２    上部反射パネル
１３    太陽光パネル
１４    突き出し反射パネル
１１１  曲面反射パネル
１３１  太陽光モジュール
１３２  側面反射パネル
１５１  ナット
１５２  ボルト
２      建物
２１    屋根
２２    壁
【図１】
2013033855.tif 000003
【図２】
2013033855.tif 000004
【図３】
2013033855.tif 000005
(57)【要約】      （修正有）【課題】耳のつけ根に装着し耳全体を密閉保温する防寒用の耳マスクを提供する。【解決手段】中空で閉じられた袋１の片面に、耳の付け根形の穴２を設け、穴の楕円部３を耳輪にかけ入れ、袋を回して耳たぶを穴の溝部に導入し、穴を耳のつけ根にはめ込み、袋の中に耳を密閉して保温することを特徴とする防寒用の耳マスク。【選択図】図１
2013044081.tif 000002
【特許請求の範囲】
【請求項１】
中空で閉じられた袋の片面に、耳の付け根形の穴を設け、穴の楕円部を耳輪にかけ入れ、袋を回して耳たぶを穴の溝部に導入し、穴を耳のつけ根にはめ込み、袋の中に耳を密閉して保温することを特徴とする防寒用の耳マスク。
【発明の詳細な説明】
【技術分野】
【０００１】  本発明は、耳のつけ根に装着し、耳を袋の中に密閉して防寒する耳マスクに関するものである。
【背景技術】
【０００２】  従来、耳の防寒具には、頭で支えて耳を押えるヘッドフォンタイプのものが使われていた。
【発明の開示】
【発明の解決しようとする課題】
【０００３】    そのために、次のような問題点があった。
（イ）耳に当てて保温するため、防寒効率が悪く小型化できなかった。
（ロ）耳からずれやすい上、長く使うと耳が痛いなどのストレスがあった。
（ハ）ヘアスタイルが乱れたり、髪を痛めることがあった。
（ニ）大げさで服装に合わないなどの難点があった。
本発明は、以上の問題点を解決するためになされたものである。
【課題を解決するための手段】
【０００４】    中空で閉じられた袋の片面に、耳の付け根形の穴を設け、穴の楕円部を耳輪にかけ入れ、袋を回して耳たぶを穴の溝部に導入し、穴を耳のつけ根にはめ込み、袋の中に耳を密閉して保温することを特徴とする防寒用の耳マスクである。
【発明の効果】
【０００５】１  耳全体を袋の中に密閉保温するから、保温力が強く軽量小型にできる。
２  耳のつけ根にはめ込むから、ずれにくくスポーツの激しい動きにも対応できる。
３  使用中、袋に接触するのは耳の付け根だけであるから、耳のストレスがない。
４  髪を押さえないから、ヘアスタイルの乱れがない。
５  着脱操作が簡単で早くできる。
６  風の向きで左右の耳の冷え方が異なっても個別に着脱して対応できる。
７  小さく目立たず、服装に合わせやすい。
【図面の簡単な説明】
【０００６】
【図１】図１は本願発明の斜視図である。
【図２】図２は本願発明の装着方法を示す平面図である。
【発明を実施するための形態】
【０００７】以下、本願発明を実施するための形態を説明する。
イ  シリコン等の素材を使い、耳型で平たく中空で閉じた袋１を形成し、袋１の片面６に耳のつけ根形の穴２を設けて開口させる。
ロ  穴２の形は、楕円部３の前端から溝部４を通り直線部５を抜けて楕円部３の後端を通り、楕円部３の後端を通り、楕円部３の前端に戻って一周する形となる。この形は、顔を側面から見たときの耳のつけ根の形を平面図にしたと同じ形である。
ハ  本願発明を耳に装着するには、図２に示すように、袋１を持ち楕円部３を耳輪９にかけ入れ矢印の方向に回せば、楕円部３は耳のつけ根をなぞって、耳たぶ７を溝部４に導入する。
ニ  この時、穴１の楕円部３は耳輪９のつけ根に溝部４は耳たぶ７のつけ根に直線部５は風当８のつけ根に、それぞれ密着し穴１は耳のつけ根全体にはめ込まれ、耳全体は袋１の内面に触れることなく密閉され、自らの放熱で周りの空気を暖め、保温層を構成し、袋１の外気断熱効果を補って防寒性能を高める。
ホ  また、装着時片面６は立体的な耳のつけ根にならってわずかに変形し穴２の密着を助け、はずせば弾性によってもとにもどる。
ヘ  使用後、本願発明を耳からはずすには袋１を逆転させて耳たぶ７を溝部４からはずし、耳輪９の上方に抜きさる。
ト  図２は右耳の装着を示しており、左耳の装着はこれと対称である。
チ  袋１の素材は、シリコン、ビニール、プラスチック、紙、布、皮革と多様にできる上、袋１の中空部の大きさと素材の種類を適切に組み合わせることで、寒冷地用など個別の用途に合わせることもできる。
リ  また、表裏を別な素材ではり合わせて、保温効果を高めたり透明な素材にしてクールな防寒具を作ることもできる。
ヌ  試作品を合成皮革で作ってみたところ、重量は４グラムで装着感が軽快であった。
本願発明を使用するときは、上記の装着法で耳のつけ根に装着し、耳を耳マスクの中に密閉して保温し、使い終われば耳から抜き取って収納する。
【実施例１】
【０００８】素材を非常に薄いものにした上で、片面９を厚く補強すれば、防水や薬剤付着防止用となる。【０００９】耳のつけ根形の穴２と耳が入る空間という基本構造があれば、袋１の外見は変えても装着でき、動物の耳などを形作って子供向けにしたり、パーティグッズなど防寒以外にも使用する。
【符号の説明】
【００１０】１は袋を示し
２は穴を示し
３は楕円部を示し
４は溝部を示し
５は直線部を示し
６は片面を示し
７は耳たぶを示し
８は風当を示し
９は耳輪を示す。
【図１】
2013044081.tif 000003
【図２】
2013044081.tif 000004
(57)【要約】      （修正有）【課題】雨の日自転車に乗車の際に着衣するレインスーツであって、フードがずれず、顔面が濡れず、視界が広く、良く聞こえ、通気孔により走行風を受け入れて、冬季には通気孔を閉じることができる、持参にも手軽な自転車乗車用レインスーツを提供する。【解決手段】フード部の内部に調整ベルトを施し、鍔５の下周囲に透明着脱カバー着脱部６を設け、着脱透明カバー７の上方に透明カバー面フアスナーを施しスーツ部の前面と背面ヨーク下にヨーク下通気孔９１と袖部肘の下方にも施す通気孔９３となる縁にメンフアスナーを施し、そこにセットする通気孔着脱リングの表面にもメンフアスナーを施す。【選択図】図３
2013044079.tif 000002
【特許請求の範囲】
【請求項１】
雨の日、自転車に乗車する際、着衣するレインスーツであって、フードは調整ベルトに続く鍔の裏周囲に透明カバーを着脱させる付着部を設け、付着部を施した透明カバーが着脱できることを特徴とする自転車乗車用レインスーツ。
【請求項２】
前記フード部に続くレインスーツのヨーク部と袖部に通気孔設け、通気孔にセットする通気孔リングを設け、着脱させながら使用できる請求項１に記載の自転車乗車用レインスーツ。
【発明の詳細な説明】
【技術分野】
【０００１】本考案は、雨の日自転車に乗車の際に着衣する、レインスーツに関するものである。
【背景技術】
【０００２】従来の物では、フードを顔深く被らなければ吹き寄せる雨を防ぐことができず、鍔の下に透明カバーが付いたものもあるが、息がかかり曇ってしまう形状であり、また、透明鍔だけのものもあるが、顔に吹きかかる雨を防ぐものでない。
【発明の概要】
【発明が解決しようとする課題】
【０００３】そのため、次の様な問題があった。
（１）特に女性は、雨の日自転車に乗る際、吹き寄せる雨を防ぐため、フードを深く被るが、左右を見る際、両頬のフードが撓み視界を遮る、耳まで被ることで音が聞きにくい、頭囲部が定まらずフードがぐらつき、暑い時期には暑苦しい。
（２）スーツ部では、ヨーク下と身頃に隙間を作りぼたんにより留めた施しのもあるが、上下の生地が重なり合い通気孔対策にあまり効果がない。【０００４】本考案は，上記事情に鑑みて試されたもので、頭囲部フードがずれない、顔に雨が吹きかからない、視界が広く、聞きやすく、走行風をコートに入れながら乗車できる。また、季節を問わず着衣できる自転車乗車用レインスーツを提供する。
【課題を解決するための手段】
【０００５】前記目的を達成するための請求項１に記載の自転車乗車用レインスーツであって、フード内に頭囲調整ベルトを設け、鍔周囲に着脱する透明カバーが設けられていることを特徴とする。【０００６】請求項２に記載の自転車乗車用レインスーツにおいてはスーツの上着と袖に、走行風が入りやすい着脱リングを設けていることを特徴とする。
また、冬季には、着脱リングをはずし閉じることもできることを特徴とする。
【発明の効果】
【０００７】本考案の自転車乗車用レインスーツは、雨の日自転車に乗車の際、着衣するとフードがずれない、顔に雨が吹きかからない、視界が広く、聞きやすく、通気孔があり走行風を取り入れながら乗車できる。冬季には通気孔を閉じオールシーズン使用できる。
【図面の簡単な説明】
【０００８】
【図１】本考案の実施の形態に係るレインスーツのフード内裏平面図である。
【図２】鍔に着脱する透明カバーである。
【図３】フード部をスーツ部にセットした側面図である。
【図４】通気孔着脱リングである。
【図５】通気孔を施した背面図である。
【発明を実施するための形態】
【０００９】以下、本考案の実施の形態を図面を参照して説明する。
図１および図２に示すように、本考案の実施の形態に係る自転車乗車用レインスーツは、フード内に頭囲調整ベルト（１）が設けられており、ベルト先の面フアスナー（２）により頭囲に合わせることができる。頭部フード（３）に続くネック部（４）をスーツ襟部に接続することは、従来の通りである。
【００１０】鍔（５）の下周囲に着脱透明カバー（７）を着脱させるための、鍔周囲透明カバー着脱部（６）を直下形に面フアスナーで設ける。
図２の着脱透明カバー（７）の上部に面フアスナー−（８）を施し、鍔（５）に着脱させて使用する。
【００１１】図３はフード部をスーツにセットした図で、着脱透明カバー（７）の様子、また通気孔の様子を示す。
【００１２】図４は、通気孔着脱リング（９２）で、巾２センチ柔軟シリコン等で楕円形の表面の上下に面フアスナー凸面と凹面を施す。これを通気孔にセットするため、通気孔の縁にも凹面凸面を組み施す。
【００１３】図５は通気孔（９１）を示す背面図で、ヨークとヨーク下身頃の縫い代を多くとり面フアスナーを施す。
図３の前面にも設けられている。袖部ひじ下にも、通気孔（９３）を設ける。
【符号の説明】
【００１４】１      調整ベルト
２      ベルト先フアスナー
３      頭部フード
４      ネックフード
５      鍔
６      鍔透明カバー着脱部
７      着脱透明カバー
８      透明カバー面フアスナー
９１    ヨーク下通気孔
９２    通気孔着脱リング
９３    袖部通気孔
【図１】
2013044079.tif 000003
【図２】
2013044079.tif 000004
【図３】
2013044079.tif 000005
【図４】
2013044079.tif 000006
【図５】
2013044079.tif 000007